(57)【要約】【課題】表示される画像内にポップアップ画像が含まれる場合に、ポップアップ画像のみを、視聴者に意識させることなく非表示にする。【解決手段】受信した映像信号に応じた画像を、予め記憶した指定領域の画像と、それ以外の全体の画像とにフレーム毎に分割する信号受信部２１と、指定領域の画像内にポップアップ画像が含まれているかどうかをフレーム毎に順次判定し、ポップアップ画像が含まれていない画像のみを表示可能映像バッファ２４に格納するポップアップ画像判定部２３と、全体の画像のフレーム毎に、全体の画像と表示可能映像バッファ２４に最後に格納された画像とを合成する映像合成部２５と、合成された画像を表示する映像表示部２６とを有する。【選択図】図１
2017151153.tif 000002
【特許請求の範囲】
【請求項１】
映像信号を受信し、該映像信号に応じた画像を、予め記憶した指定領域の画像と、それ以外の全体の画像とにフレーム毎に分割する信号受信部と、
前記指定領域の画像内にポップアップ画像が含まれているかどうかをフレーム毎に順次判定し、ポップアップ画像が含まれていない場合のみ、当該指定領域の画像をバッファに格納するポップアップ画像判定部と、
前記全体の画像のフレーム毎に、前記全体の画像と前記バッファに最後に格納された画像とを合成する映像合成部と、
前記合成された画像を表示する映像表示部とを有する、表示装置。
【請求項２】
請求項１に記載の表示装置において、
前記ポップアップ画像判定部は、前記指定領域の画像内に所定の形状の判定用画像が存在するかどうかによって、ポップアップ画像が含まれているかどうかを判定する、表示装置。
【請求項３】
請求項２に記載の表示装置において、
前記ポップアップ画像判定部は、前記判定用画像が前記指定領域からはみ出している場合、当該指定領域の画像にポップアップ画像が含まれていないと判定する、表示装置。
【請求項４】
請求項２または請求項３に記載の表示装置において、
前記ポップアップ画像判定部は、前記指定領域の画像について、連続するフレームの画像を比較し、前記判定用画像の変化に基づいて、ポップアップ画像が含まれているかどうかを判定する、表示装置。
【請求項５】
請求項４に記載の表示装置において、
前記ポップアップ画像判定部は、前記判定用画像の形状の変化に基づいて、ポップアップ画像が含まれているかどうかを判定する、表示装置。
【請求項６】
請求項４に記載の表示装置において、
前記ポップアップ画像判定部は、前記判定用画像の色レベルの変化に基づいて、ポップアップ画像が含まれているかどうかを判定する、表示装置。
【請求項７】
映像信号に応じた画像について予め指定された指定領域にポップアップ画像が含まれる場合に該ポップアップ画像を非表示にする、ポップアップ画像非表示方法であって、
映像信号を受信し、該映像信号に応じた画像を、前記指定領域の画像と、それ以外の全体の画像とにフレーム毎に分割する信号受信処理と、
前記指定領域の画像内にポップアップ画像が含まれているかどうかをフレーム毎に順次判定し、ポップアップ画像が含まれていない場合のみ、当該指定領域の画像をバッファに格納するポップアップ画像判定処理と、
前記全体の画像のフレーム毎に、前記全体の画像と前記バッファに最後に格納された画像とを合成する映像合成処理と、
前記合成された画像を表示する映像表示処理とを有する、ポップアップ画像非表示方法。
【発明の詳細な説明】
【技術分野】
【０００１】
本発明は、映像信号に応じた画像を表示する表示装置に関し、特に、指定領域に表示されるポップアップ画像を非表示にする技術に関する。
【背景技術】
【０００２】
近年、会議等で情報を共有する手段として、プロジェクターや大画面モニタ等の表示装置にＰＣの画面を表示する技術が一般的に採用されている。このような表示装置は基本的に、ユーザーによって指定され、ＰＣから出力された映像信号に応じた画像をそのまま表示する。しかし、表示された画像中に、ユーザーが意図しない画像であるポップアップ画像が含まれている場合、ポップアップ画像をユーザーが表示したくなくても、ポップアップ画像も一緒に表示されてしまうことがある。
【０００３】
ポップアップ画像のように表示したくない画像を表示させない方法としては、例えば、特許文献１に開示された技術が知られている。特許文献１に記載の技術では、ＰＣ等の表示装置に表示する情報を、プロジェクター等の外部表示装置に同時に表示する場合に、個人情報が含まれる画像に対して外部表示装置への表示を抑制することを目的としている。特許文献１に記載の技術は、表示したくない画面を特定するため、個人情報に関係するテキストを登録しておき、登録されたテキストを検知した場合に外部表示装置への映像信号の転送を制限し、画像全体を隠すものである。
また、予め定義されたマスクパターンに従って、一部分の領域を塗りつぶしてマスク表示することで、表示したくない画像を表示させないプロジェクターが、特許文献２に開示されている。
また、特許文献３，４には、画像情報に対してマスク情報に基づくマスク処理を施すことで、液晶ディスプレイと同一の画像を、特定の領域がマスクされた状態で画像表示装置に表示する画像表示システムが開示されている。
【０００４】
このように、表示したくない画像を表示させない処理を行う従来技術がいくつか知られている。これらの方法を用いれば、表示したくない画像を特定することができ、外部表示装置等にて表示させないようにすることができる。
【先行技術文献】
【特許文献】
【０００５】
【特許文献１】特許第５０３１１８３号公報
【特許文献２】特開２００８−１０２３３２１号公報
【特許文献３】特開２００９−１７５３９６号公報
【特許文献４】特開２００９−１７５３９７号公報
【発明の概要】
【発明が解決しようとする課題】
【０００６】
しかしながら、特許文献１に記載の技術のように、外部表示装置への映像信号の転送を制限することによって画像全体を隠す方法では、表示したくない画像以外の画像も表示されなくなってしまうという問題点がある。
また、特許文献２〜４に記載の技術のように、非表示部分を予め定義し、表示画像のうち非表示部分を塗りつぶしてマスク表示する方法では、表示装置の画像を見ている視聴者の注意が、マスク表示された非表示部分に集中し、本来注目して欲しい表示部分の妨げになってしまうという問題点がある。
【０００７】
本発明は、上述した技術が有する問題点に鑑みてなされたものであって、表示される画像内にポップアップ画像が含まれる場合に、ポップアップ画像のみを、視聴者に意識させることなく非表示にすることができる、表示装置及びポップアップ画像非表示方法を提供することを目的とする。
【課題を解決するための手段】
【０００８】
上記目的を達成するために本発明は、
映像信号を受信し、該映像信号に応じた画像を、予め記憶した指定領域の画像と、それ以外の全体の画像とにフレーム毎に分割する信号受信部と、
前記指定領域の画像内にポップアップ画像が含まれているかどうかをフレーム毎に順次判定し、ポップアップ画像が含まれていない場合のみ、当該指定領域の画像をバッファに格納するポップアップ画像判定部と、
前記全体の画像のフレーム毎に、前記全体の画像と前記バッファに最後に格納された画像とを合成する映像合成部と、
前記合成された画像を表示する映像表示部とを有する。
また、映像信号に応じた画像について予め指定された指定領域にポップアップ画像が含まれる場合に該ポップアップ画像を非表示にする、ポップアップ画像非表示方法であって、
映像信号を受信し、該映像信号に応じた画像を、前記指定領域の画像と、それ以外の全体の画像とにフレーム毎に分割する信号受信処理と、
前記指定領域の画像内にポップアップ画像が含まれているかどうかをフレーム毎に順次判定し、ポップアップ画像が含まれていない場合のみ、当該指定領域の画像をバッファに格納するポップアップ画像判定処理と、
前記全体の画像のフレーム毎に、前記全体の画像と前記バッファに最後に格納された画像とを合成する映像合成処理と、
前記合成された画像を表示する映像表示処理とを有する。
【発明の効果】
【０００９】
本発明によれば、表示される画像内にポップアップ画像が含まれる場合に、ポップアップ画像のみを、視聴者に意識させることなく非表示にすることができる。
【図面の簡単な説明】
【００１０】
【図１】本発明の表示装置を適用した表示システムの実施の一形態を示す図である。
【図２】図１に示したプロジェクターの動作を説明するためのフローチャートである。
【図３】図１に示したプロジェクターにおいて、指定領域の画像内にポップアップ画像が含まれていない場合の処理を説明するための図である。
【図４】図１に示したプロジェクターにおいて、指定領域の画像内にポップアップ画像が含まれている場合の処理を説明するための模式図である。
【図５】図１に示したポップアップ画像判定部におけるポップアップ画像の判定処理を説明するためのフローチャートである。
【図６】図１に示したプロジェクターにおいて、指定領域に存在するウィンドウ形状が指定領域からはみ出していないかどうかを判定する処理を説明するための模式図である。
【図７】図１に示したポップアップ画像判定部におけるウィンドウ形状の動作パターンの判定処理を説明するためのフローチャートである。
【図８】図１に示したポップアップ画像判定部におけるウィンドウ形状の辺の長さの判定処理を説明するための図であり、（ａ）はウィンドウ形状の辺の定義を示す図、（ｂ）は判定処理を示すフローチャートである。
【発明を実施するための形態】
【００１１】
以下に、本発明の実施の形態について図面を参照して説明する。
図１は、本発明の表示装置を適用した表示システムの実施の一形態を示す図である。
本形態による表示システムは図１に示すように、本発明の表示装置となるプロジェクター２０と、ＰＣ１０とを備える。
ＰＣ１０は、プロジェクター２０を用いて画像を表示するための映像信号を生成し、出力する。
プロジェクター２０は、信号受信部２１と、映像バッファ２２ａ，２２ｂと、ポップアップ画像判定部２３と、表示可能映像バッファ２４と、映像合成部２５と、映像表示部２６とを備える。
信号受信部２１は、ＰＣ１０から出力された映像信号を受信する。そして、信号受信部２１は、受信した映像信号に応じた画像を、同一フレーム毎に、指定領域の画像と、それ以外の全体の画像とに分割し、全体の画像を映像バッファ２２ａに格納するとともに、指定領域の画像を映像バッファ２２ｂに格納する。
ポップアップ画像判定部２３は、映像バッファ２２ｂに格納された、指定領域の画像内にポップアップ画像が含まれているかどうかをフレーム毎に順次判定し、ポップアップ画像が含まれていない場合のみ、その指定領域の画像を表示可能映像バッファ２４に格納する。
映像合成部２５は、映像バッファ２２ａに格納された全体の画像のフレーム毎に、映像バッファ２２ａに格納された全体の画像と表示可能映像バッファ２４に最後に格納された画像とを合成する。
映像表示部２６は、映像合成部２５にて合成された画像をスクリーン等に投射して表示する。
【００１２】
以下に、上記のように構成された表示システムにおけるプロジェクター２０の動作について説明する。
図２は、図１に示したプロジェクター２０の動作を説明するためのフローチャートである。
まず、ポップアップ画像を非表示としたい領域を指定領域として予め指定し、信号受信部２１に記憶させておく。この時、ポップアップ画像がこの指定領域内に収まるように指定する。初期条件として、プロジェクター２０に最初に入力される映像信号は、ポップアップ画像が表示されない表示画像を表示するものとする。プロジェクター２０において、最初に入力された映像信号に応じた表示画像を表示し、指定領域をフリーズした所から処理を開始する。
ＰＣ１０から出力された映像信号を信号受信部２１にて受信すると（ステップ１）、信号受信部２１は、受信した映像信号に応じた画像を、同一フレーム毎に、指定領域の画像と、それ以外の全体の画像とに分割する（ステップ２）。
そして、信号受信部２１は、全体の画像を映像バッファ２２ａに格納するとともに（ステップ３）、指定領域の画像を映像バッファ２２ｂに格納する（ステップ４）。
次に、ポップアップ画像判定部２３が、映像バッファ２２ｂに格納された、指定領域の画像内にポップアップ画像が含まれているかどうかを判定し（ステップ５）、ポップアップ画像が含まれていない場合、その指定領域の画像を表示可能映像バッファ２４に格納する（ステップ６）。なお、ポップアップ画像が含まれているかどうかの判定方法については、後述する方法を適用することが考えられるが、上述した特許文献１〜４の検出方法を利用してもよい。
その後、表示可能映像バッファ２４に格納された、指定領域の画像を出力し（ステップ７）、映像合成部２５が、映像バッファ２２ａに格納された全体の画像のフレーム毎に、映像バッファ２２ａに格納された全体の画像と、表示可能映像バッファ２４から出力された指定領域の画像とを合成する（ステップ８）。
そして、映像表示部２６が、映像合成部２５にて合成された画像をスクリーン等に投射して表示する（ステップ９）。
【００１３】
図３は、図１に示したプロジェクター２０において、指定領域の画像内にポップアップ画像が含まれていない場合の処理を説明するための模式図である。
図３に示すように、ＰＣ１０から出力された映像信号に応じた全体の画像Ａの中の指定領域の画像ａに、表示させたくない画像となるポップアップ画像が含まれていない場合は、画像ａが表示可能映像バッファ２４に格納される。その後、表示可能映像バッファ２４に最後に格納された画像が出力され、その画像が、映像バッファ２２ａに格納された全体の画像Ａに合成されることとなるが、表示可能映像バッファ２４に最後に格納された画像は、全体の画像Ａから分離された画像ａであるため、画像ａが表示可能映像バッファ２４から出力されて画像Ａに合成され、全体の画像Ａに指定領域の画像ａが合成された画像が表示されることとなる。
【００１４】
図４は、図１に示したプロジェクター２０において、指定領域の画像内にポップアップ画像が含まれている場合の処理を説明するための模式図である。
図４に示すように、ＰＣ１０から出力された映像信号に応じた全体の画像Ｂの中の指定領域の画像ｂに、表示させたくない画像となるポップアップ画像ｅが含まれている場合は、画像ｂは表示可能映像バッファ２４に格納されない。その後、表示可能映像バッファ２４に最後に格納された画像が出力され、その画像が全体の画像Ｂに合成されることとなるが、この画像Ｂが、上述した画像Ａの次のフレームの画像である場合、表示可能映像バッファ２４に最後に格納された画像は、画像ａとなるため、画像ａが表示可能映像バッファ２４から出力されて画像Ｂに合成され、全体の画像Ｂに指定領域の画像ａが合成された画像が表示されることとなる。
このように、指定領域の画像にポップアップ画像が含まれていない場合は、表示可能映像バッファ２４に格納される指定領域の画像を更新して全体の画像に合成して表示し、また、指定領域の画像にポップアップ画像が含まれている場合は、表示可能映像バッファ２４に格納される指定領域の画像を更新せず、表示可能映像バッファ２４に最後に格納された画像を全体の画像に合成して表示することにより、指定領域の画像が全く更新されないことがなくなり、それにより、表示させたくない画像となるポップアップ画像が表示画像に含まれる場合に、ポップアップ画像のみを、視聴者に意識させることなく非表示にすることができる。
【００１５】
以下に、上述したステップ５におけるポップアップ画像の判定処理について説明する。
図５は、図１に示したポップアップ画像判定部２３におけるポップアップ画像の判定処理を説明するためのフローチャートである。
ポップアップ画像判定部２３が、映像バッファ２２ｂに格納された、指定領域の画像内にポップアップ画像が含まれているかどうかを判定するためには（ステップ１１）、まず、指定領域内に、判定用画像となるポップアップ画像の形状、例えば四角形（以下、ウィンドウ形状と称する）が存在するかを判定する（ステップ１２）。なお、この判定は、従来技術として知られているパターンマッチング等を用いることが考えられる。
指定領域内にウィンドウ形状が存在しない場合は、ポップアップ画像判定部２３は、指定領域の画像にポップアップ画像が含まれていないと判定する（ステップ１３）。
一方、指定領域内にウィンドウ形状が存在する場合は、ポップアップ画像判定部２３は、ウィンドウ形状が指定領域からはみ出していないかどうかを判定する（ステップ１４）。
【００１６】
図６は、図１に示したプロジェクター２０において、指定領域に存在するウィンドウ形状が指定領域からはみ出していないかどうかを判定する処理を説明するための模式図である。
ステップ１２における判定において、図６に示すように、ＰＣ１０から出力された映像信号に応じた全体の画像Ｂの中の指定領域の画像ｂにウィンドウ形状ｅが存在しているものと判定されている場合、上述したように、指定領域は、ポップアップ画像がこの指定領域内に収まるように指定されているため、指定領域からみ出すウィンドウ形状は、ポップアップ画像とは異なる画像であると判断することができる。
例えば、図６に示すように、指定領域ｂの外周部分にウィンドウ形状ｅが接していない場合は、ウィンドウ形状ｅが指定領域からはみ出していないため、ポップアップ画像判定部２３は、ポップアップ画像が含まれている可能性があると判定する。
一方、図６に示すように、指定領域ｃの外周部分にウィンドウ形状ｆが接している場合は、ポップアップ画像判定部２３は、指定領域の更に外側の領域ｇを判定する。そして、外側の領域ｇ内に、指定領域ｃの外周部分に接していると判断した同一ウィンドウ形状ｆがない場合は、ポップアップ画像判定部２３は、ポップアップ画像が含まれている可能性があると判定する。また、外側の領域ｇ内に、指定領域ｃの外周部分に接していると判断した同一ウィンドウ形状ｆがある場合は、ポップアップ画像判定部２３は、ポップアップ画像とは異なる画面と判定し、指定領域ｃの画像にはポップアップ画像は含まれていないと判定する（ステップ１３）。
【００１７】
なおこの例は、ウィンドウ形状が四角形であることを利用した判定であるが、ポップアップ画像の四つの角は、丸みを帯びている形状になっていることが多いので、指定領域の外周部分に接している場合は、丸みの形状で指定領域にはみ出しているかの判定を行うことが可能となる。
ウィンドウ形状が指定領域からはみ出していないことにより、指定領域の画像にポップアップ画像が含まれている可能性があると判定された場合は、ポップアップ画像判定部２３は、次に、ウィンドウ形状の動作パターンを判定する（ステップ１５）。
【００１８】
図７は、図１に示したポップアップ画像判定部２３におけるウィンドウ形状の動作パターンの判定処理を説明するためのフローチャートである。
ポップアップ画像は、動作を伴って画面上に表示される。主な動作としては、ウィンドウ形状が浮き上がってくるように表示される動作と、ウィンドウ形状が画面下から上にスライドして表示される動作、画面横からスライドして表示される動作が挙げられる。
そこで、ポップアップ画像判定部２３は、次に続く連続する数フレームの画像を比較し（ステップ２１）、ウィンドウ形状の変化に基づいて、指定領域の画像にポップアップ画像が含まれているかどうかを判定する。
例えば、スライドして表示されるポップアップ画像は、スライドすることでウィンドウ形状の位置と辺の長さが変化するため、ポップアップ画像判定部２３は、まず、ウィンドウ形状の位置がフレーム毎に変化しているかどうかを判定する（ステップ２２）。
ウィンドウ形状の位置がフレーム毎に変化している場合は、ポップアップ画像判定部２３は、ウィンドウ形状の辺の長さが条件を満たすかどうかを判定する（ステップ２３）。
【００１９】
図８は、図１に示したポップアップ画像判定部２３におけるウィンドウ形状の辺の長さの判定処理を説明するための図であり、（ａ）はウィンドウ形状の辺の定義を示す図、（ｂ）は判定処理を示すフローチャートである。
図８（ａ）に示すように、ウィンドウ形状ｅの横方向に延びる辺を辺ｘとし、縦方向に延びる辺を辺ｙとすると、ウィンドウ形状の辺の長さの比較において（ステップ３１）、ポップアップ画像判定部２３は、まず、辺ｙの長さがフレーム毎に変化しないかどうかを判定する（ステップ３２）。
辺ｙの長さがフレーム毎に変化しない場合は、ポップアップ画像判定部２３は、次に、辺ｘの長さがフレーム毎に長くなるかどうかを判定する（ステップ３３）。
辺ｘの長さがフレーム毎に長くなる場合は、ポップアップ画像判定部２３は、次に、辺ｘの長さの変化が、辺ｘが指定領域からはみ出さずに止まっているかどうかを判定する（ステップ３４）。
そして、辺ｘの長さの変化が、辺ｘが指定領域からはみ出さずに止まっている場合、ポップアップ画像判定部２３は、ウィンドウ形状が、画面下から上にスライドして表示されるポップアップ画像であると判定する（ステップ３５）。
一方、辺ｙの長さがフレーム毎に変化したり、辺ｘの長さがフレーム毎に長くならなかったり、辺ｘの長さの変化が、辺ｘが指定領域からはみ出さずに止まっていない場合は、ポップアップ画像判定部２３は、ウィンドウ形状がポップアップ画像ではないと判定する（ステップ３６）。
なお、画面横からスライドして表示される動作の場合は、辺ｘと辺ｙの判定を逆にすることで判定することが可能である。
【００２０】
上記判定によって、ウィンドウ形状の辺の長さがポップアップ画面動作の条件を満たし、ウィンドウ形状がポップアップ画像であると判定した場合（ステップ２４）、ポップアップ画像判定部２３は、ウィンドウ形状が、スライドして画面に表示されるポップアップ画像であると判定する（ステップ２５）。
また、浮き上がってくるポップアップ画像は、ウィンドウ形状の位置が移動せず、定位置のまま浮き上がってくるため、ポップアップ画像判定部２３は、ウィンドウ形状の位置がフレーム毎に変化しない場合、ウィンドウ形状の色レベルがフレーム毎に変化するかどうかを判定する（ステップ２６）。
そして、ウィンドウ形状の色レベルがフレーム毎に変化する場合は、ポップアップ画像判定部２３は、ウィンドウ形状が、浮き上がってくるポップアップ画像であると判定する（ステップ２７）。
また、ウィンドウ形状の辺の長さがポップアップ画面動作の条件を満たさない場合や、ウィンドウ形状の色レベルがフレーム毎に変化しない場合は、ポップアップ画像判定部２３は、ウィンドウ形状がポップアップ画像ではないと判定する（ステップ２８）。
上記判定によって、ウィンドウ形状がポップアップ画像であると判定した場合（ステップ１６）、ポップアップ画像判定部２３は、指定領域の画像にポップアップ画像が含まれていると判定する（ステップ１７）。
また、指定領域内にウィンドウ形状が存在しない場合や、指定領域内にウィンドウ形状が存在する場合であってウィンドウ形状が指定領域からはみ出している場合や、ウィンドウ形状がポップアップ画像ではないと判定した場合は、ポップアップ画像判定部２３は、指定領域の画像にポップアップ画像が含まれていないと判定する（ステップ１３）。
【００２１】
上記一連の処理によって、指定領域の画像にポップアップ画像が含まれているかどうかを判定できる。ポップアップ画像が含まれている場合には、指定領域内にウィンドウ形状が存在するかを確認して、次の映像フレームの判定に移行する。ポップアップ画像が消えて非表示になったのを確認してから、映像を更新することになる。
上述した実施の形態によれば、視聴者に見せたくない画像となるポップアップ画像を非表示にすることができ、さらに、静止画等、動きの少ない画面を表示している際には、視聴者に見せたくないポップアップ画像を非表示にしていることを気付かせることなく、すなわち、視聴者の注意を逸らせることなく、本来注目してほしい映像を表示させ続けることが可能になる。
【００２２】
上記の実施の形態の一部または全部は、以下の付記のようにも記載され得るが、以下には、限られない。
（付記１）
映像信号を受信し、該映像信号に応じた画像を、予め記憶した指定領域の画像と、それ以外の全体の画像とにフレーム毎に分割する信号受信部と、
前記指定領域の画像内にポップアップ画像が含まれているかどうかをフレーム毎に順次判定し、ポップアップ画像が含まれていない場合のみ、当該指定領域の画像をバッファに格納するポップアップ画像判定部と、
前記全体の画像のフレーム毎に、前記全体の画像と前記バッファに最後に格納された画像とを合成する映像合成部と、
前記合成された画像を表示する映像表示部とを有する、表示装置。
（付記２）
付記１に記載の表示装置において、
前記ポップアップ画像判定部は、前記指定領域の画像内に所定の形状の判定用画像が存在するかどうかによって、ポップアップ画像が含まれているかどうかを判定する、表示装置。
（付記３）
付記２に記載の表示装置において、
前記ポップアップ画像判定部は、前記判定用画像が前記指定領域からはみ出している場合、当該指定領域の画像にポップアップ画像が含まれていないと判定する、表示装置。
（付記４）
付記２または付記３に記載の表示装置において、
前記ポップアップ画像判定部は、前記指定領域の画像について、連続するフレームの画像を比較し、前記判定用画像の変化に基づいて、ポップアップ画像が含まれているかどうかを判定する、表示装置。
（付記５）
付記４に記載の表示装置において、
前記ポップアップ画像判定部は、前記判定用画像の形状の変化に基づいて、ポップアップ画像が含まれているかどうかを判定する、表示装置。
（付記６）
付記４に記載の表示装置において、
前記ポップアップ画像判定部は、前記判定用画像の色レベルの変化に基づいて、ポップアップ画像が含まれているかどうかを判定する、表示装置。
（付記７）
映像信号に応じた画像について予め指定された指定領域にポップアップ画像が含まれる場合に該ポップアップ画像を非表示にする、ポップアップ画像非表示方法であって、
映像信号を受信し、該映像信号に応じた画像を、前記指定領域の画像と、それ以外の全体の画像とにフレーム毎に分割する信号受信処理と、
前記指定領域の画像内にポップアップ画像が含まれているかどうかをフレーム毎に順次判定し、ポップアップ画像が含まれていない場合のみ、当該指定領域の画像をバッファに格納するポップアップ画像判定処理と、
前記全体の画像のフレーム毎に、前記全体の画像と前記バッファに最後に格納された画像とを合成する映像合成処理と、
前記合成された画像を表示する映像表示処理とを有する、ポップアップ画像非表示方法。
【符号の説明】
【００２３】
１０    ＰＣ
２０    プロジェクター
２１    信号受信部
２２ａ，２２ｂ    映像バッファ
２３    ポップアップ画像判定部
２４    表示可能映像バッファ
２５    映像合成部
２６    映像表示部
【図１】
2017151153.tif 000003
【図２】
2017151153.tif 000004
【図３】
2017151153.tif 000005
【図４】
2017151153.tif 000006
【図５】
2017151153.tif 000007
【図６】
2017151153.tif 000008
【図７】
2017151153.tif 000009
【図８】
2017151153.tif 000010